(57)【要約】【課題】非接触充電を行うことができる、レンズカバーを備えた撮影装置において、装置を大型化させることなく、電源のオン／オフを行うことができるようにする。【解決手段】デジタルカメラ１Ａの本体には、充電可能なバッテリが収容されており、金属製のレンズカバー３１が撮影レンズ３０の非露出状態および露出状態を切り替える。撮影レンズ３０の外枠３３には、バッテリを充電するための充電コイル２０が配設されている。レンズカバー３１を閉じた状態において充電コイル２０を励磁すると、レンズカバー３１の存在により充電コイル２０が発熱する。これを検出してデジタルカメラ１Ａの電源をオフとする。逆に発熱を検出しない場合には、デジタルカメラ１Ａの電源をオンとする。【選択図】図３Ａ
2010128219.tif 000002
【特許請求の範囲】
【請求項１】
電源部、充電電池および少なくとも１つの撮影レンズを収容する本体と、
前記本体に対してスライド可能に取付けられた、前記撮影レンズの非露出状態および露出状態を切り替える少なくとも１つの金属製のレンズカバーと、
前記充電電池を充電するための非接触充電、および前記充電電池の電力を外部に供給するための非接触給電の少なくともいずれかに用いられる少なくとも１つのコイルであって、前記本体における前記撮影レンズが非露出状態のときに前記レンズカバーにより覆われる一方で、前記撮影レンズが露出状態のときに露出する部分に配設されてなるコイルと、
前記コイルの発熱の有無を検出する熱検出出手段と、
該熱検出手段が前記コイルの発熱を検出した場合、前記電源部をオフとし、それ以外の場合、前記電源部をオンとする電源制御手段とを備えたことを特徴とする撮影装置。
【請求項２】
前記電源制御手段は、給電する場合よりも少ない電流により前記コイルを励磁して、前記熱検出手段に前記コイルの発熱の有無を検出させる手段であることを特徴とする請求項１記載の撮影装置。
【請求項３】
前記電源制御手段は、所定時間間隔にて前記コイルを励磁して前記熱検出手段に前記コイルの発熱の有無を検出させる手段であることを特徴とする請求項１記載の撮影装置。
【請求項４】
前記撮影レンズを前記本体に固定する外枠を備え、前記コイルが、前記撮影レンズの外形形状に沿って巻かれて前記外枠に配設されていることを特徴とする請求項１から３のいずれか１項記載の撮影装置。
【請求項５】
前記レンズカバーの表面に断熱部材が取付けられてなることを特徴とする請求項１から４のいずれか１項記載の撮影装置。
【請求項６】
所定の間隔により配設された第１および第２の前記撮影レンズ、該第１および第２の撮影レンズに対応して設けられた第１および第２の前記レンズカバー、前記第１の撮影レンズが非露出状態のときに前記第１のレンズカバーにより覆われる一方で、前記第１の撮影レンズが露出状態のときに露出する部分に配設されてなる充電用の第１の前記コイル、および前記第２の撮影レンズが非露出状態のときに前記第２のレンズカバーにより覆われる一方で、前記第２の撮影レンズが露出状態のときに露出する部分に配設されてなる給電用の第２の前記コイルを備えてなることを特徴とする請求項１から５のいずれか１項記載の撮影装置。
【請求項７】
前記非接触充電および前記非接触給電のいずれかを検出し、前記充電電池への充電および前記充電電池の電力の外部への供給の少なくともいずれかを制御する受給電制御手段とをさらに備え、
前記電源制御手段は、該受給電検出手段が前記非接触充電および前記非接触給電のいずれかを検出した場合、前記電源部における前記非接触充電または前記非接触給電に関係する機能以外の他の機能をオフとする手段であることを特徴とする請求項１から６のいずれか１項記載の撮影装置。
【請求項８】
前記他の機能がオフとされると、前記非接触充電および前記非接触給電のいずれかが行われていることを通知する通知手段をさらに備えたことを特徴とする請求項７記載の撮影装置。
【請求項９】
前記撮影レンズが露出状態の時に、前記受給電制御手段のオン／オフを切り替え可能な切り替え操作手段をさらに備えたことを特徴とする請求項７または８項記載の撮影装置。
【請求項１０】
各種操作を行う操作手段をさらに備え、
前記切り替え操作手段が前記操作手段と兼用されてなることを特徴とする請求項９記載の撮影装置。
【請求項１１】
電源部、充電電池および少なくとも１つの撮影レンズを収容する本体と、
前記本体に対してスライド可能に取付けられた、前記撮影レンズの非露出状態および露出状態を切り替える少なくとも１つの金属製のレンズカバーと、
前記充電電池を充電するための非接触充電、および前記充電電池の電力を外部に供給するための非接触給電の少なくともいずれかに用いられる少なくとも１つのコイルであって、前記本体における前記撮影レンズが非露出状態のときに前記レンズカバーにより覆われる一方で、前記撮影レンズが露出状態のときに露出する部分に配設されてなるコイルとを備えた撮影装置の制御方法であって、
前記コイルの発熱の有無を検出し、
該熱検出手段が前記コイルの発熱を検出した場合、前記電源部をオフとし、
それ以外の場合前記電源部をオンとすることを特徴とする撮影装置の制御方法。
【請求項１２】
電源部、充電電池および少なくとも１つの撮影レンズを収容する本体と、
前記本体に対してスライド可能に取付けられた、前記撮影レンズの非露出状態および露出状態を切り替える少なくとも１つの金属製のレンズカバーと、
前記充電電池を充電するための非接触充電、および前記充電電池の電力を外部に供給するための非接触給電の少なくともいずれかに用いられる少なくとも１つのコイルであって、前記本体における前記撮影レンズが非露出状態のときに前記レンズカバーにより覆われる一方で、前記撮影レンズが露出状態のときに露出する部分に配設されてなるコイルとを備えた撮影装置の制御方法をコンピュータに実行させるためのプログラムであって、
前記コイルの発熱の有無を検出する手順と、
該熱検出手段が前記コイルの発熱を検出した場合、前記電源部をオフとする手順と、
それ以外の場合前記電源部をオンとする手順とをコンピュータに実行させることを特徴とするプログラム。
【発明の詳細な説明】
【技術分野】
【０００１】
本発明は、非接触充電をすることができる撮影装置に関し、とくに撮影レンズを露出状態としたり非露出状態とするためのレンズカバーを備えた撮影装置に関するものである。
【背景技術】
【０００２】
デジタルカメラ、カメラ付き携帯電話およびＰＤＡ等の撮影装置は、電源に充電が可能な充電電池を使用していることが多い。充電電池の充電は専用の充電器を使用したコネクタピンによるものが多いが、電磁誘導を利用して非接触充電するものが提案されている。このように非接触で充電を行うために、クレードル等の給電装置において発生させる変動する磁界によって起電力を生じさせるためのコイルが撮影装置に設けられる。
【０００３】
また、撮影レンズを開閉するためのレンズカバーを備え、レンズカバーの開閉により電源のオン／オフを切り替えるようにした撮影装置が提案されている（特許文献１，２参照）。特許文献１，２に記載された撮影装置は、レンズカバーを開くことにより、機械的なスイッチを駆動して撮影装置の電源をオンとし、ストロボ発光用のメインコンデンサの充電を開始するものである。また、上述したコイルをレンズカバー内のデッドスペースに設けるようにした撮影装置も提案されている（特許文献３参照）。また、コイルを携帯電話の保護カバーに設ける技術も提案されている（特許文献４参照）。
【特許文献１】特開２００１−２１５５５７号公報
【特許文献２】特開２００２−１６２６７９号公報
【特許文献３】特開２００３−１２５２５２号公報
【特許文献４】特開２００７−２４４１６５号公報
【発明の開示】
【発明が解決しようとする課題】
【０００４】
特許文献１，２に記載された撮影装置は、レンズカバーの開閉により電源のオン／オフを切り替えているため、電源スイッチは不要となる。しかしながら、レンズカバーおよびその取付け部分に機械的に電源をオン／オフするための機構を設ける必要があるため、実装部品数が多くなるとともに、機構の存在によりレンズカバーの厚みが大きくなる。特許文献３，４は、非接触充電を行うためのコイルの配置に関するものであり、コイルと電源オン／オフとの関係については記載がない。
【０００５】
本発明は、上記事情に鑑みなされたものであり、非接触充電を行うことができる、レンズカバーを備えた撮影装置において、装置を大型化させることなく、電源のオン／オフを行うことができるようにすることを目的とする。
【課題を解決するための手段】
【０００６】
本発明による撮影装置は、電源部、充電電池および少なくとも１つの撮影レンズを収容する本体と、
前記本体に対してスライド可能に取付けられた、前記撮影レンズの非露出状態および露出状態を切り替える少なくとも１つの金属製のレンズカバーと、
前記充電電池を充電するための非接触充電、および前記充電電池の電力を外部に供給するための非接触給電の少なくともいずれかに用いられる少なくとも１つのコイルであって、前記本体における前記撮影レンズが非露出状態のときに前記レンズカバーにより覆われる一方で、前記撮影レンズが露出状態のときに露出する部分に配設されてなるコイルと、
前記コイルの発熱の有無を検出する熱検出出手段と、
該熱検出手段が前記コイルの発熱を検出した場合、前記電源部をオフとし、それ以外の場合、前記電源部をオンとする電源制御手段とを備えたことを特徴とするものである。
【０００７】
「コイルの発熱の有無を検出する」には、例えば、コイルの温度を測定し、その温度があらかじめ定められたしきい値以上となったか否かを判定することにより行えばよい。なお、しきい値は本発明による撮影装置を使用する環境等を考慮して経験的に決定すればよい。
【０００８】
なお、本発明による撮影装置においては、前記電源制御手段を、給電する場合よりも少ない電流により前記コイルを励磁して、前記熱検出手段に前記コイルの発熱の有無を検出させる手段としてもよい。
【０００９】
「給電する場合よりも少ない電流」としては、コイルが非露出状態にあるときに熱検出手段が発熱ありと検出する程度にコイルが発熱する電流が必要である。
【００１０】
また、本発明による撮影装置においては、前記電源制御手段を、所定時間間隔にて前記コイルを励磁して前記熱検出手段に前記コイルの発熱の有無を検出させる手段としてもよい。
【００１１】
また、本発明による撮影装置においては、前記撮影レンズを前記本体に固定する外枠を備えるものとし、前記コイルを前記撮影レンズの外形形状に沿って巻いて前記外枠に配設してもよい。
【００１２】
また、本発明による撮影装置においては、前記レンズカバーの表面に断熱部材を取付けてもよい。
【００１３】
また、本発明による撮影装置においては、所定の間隔により配設された第１および第２の前記撮影レンズ、該第１および第２の撮影レンズに対応して設けられた第１および第２の前記レンズカバー、前記第１の撮影レンズが非露出状態のときに前記第１のレンズカバーにより覆われる一方で、前記第１の撮影レンズが露出状態のときに露出する部分に配設されてなる充電用の第１の前記コイル、および前記第２の撮影レンズが非露出状態のときに前記第２のレンズカバーにより覆われる一方で、前記第２の撮影レンズが露出状態のときに露出する部分に配設されてなる給電用の第２の前記コイルを備えてなるものとしてもよい。
【００１４】
また、本発明による撮影装置においては、前記非接触充電および前記非接触給電のいずれかを検出し、前記充電電池への充電および前記充電電池の電力の外部への供給の少なくともいずれかを制御する受給電制御手段とをさらに備えるものとし、
前記電源制御手段を、該受給電検出手段が前記非接触充電および前記非接触給電のいずれかを検出した場合、前記電源部における前記非接触充電または前記非接触給電に関係する機能以外の他の機能をオフとする手段としてもよい。
【００１５】
「非接触充電または非接触給電に関係する機能以外の他の機能」としては、撮影を行ったり、撮影により取得した画像を再生したりする機能が挙げられる。
【００１６】
この場合、前記他の機能がオフとされると、前記非接触充電および前記非接触給電のいずれかが行われていることを通知する通知手段をさらに備えるものとしてもよい。
【００１７】
またこの場合、前記撮影レンズが露出状態の時に、前記受給電制御手段のオン／オフを切り替え可能な切り替え操作手段をさらに備えるものとしてもよい。
【００１８】
またこの場合、各種操作を行う操作手段をさらに備えるものとし、
前記切り替え操作手段を前記操作手段と兼用させてもよい。
【００１９】
本発明による撮影装置の制御方法は、電源部、充電電池および少なくとも１つの撮影レンズを収容する本体と、
前記本体に対してスライド可能に取付けられた、前記撮影レンズの非露出状態および露出状態を切り替える少なくとも１つの金属製のレンズカバーと、
前記充電電池を充電するための非接触充電、および前記充電電池の電力を外部に供給するための非接触給電の少なくともいずれかに用いられる少なくとも１つのコイルであって、前記本体における前記撮影レンズが非露出状態のときに前記レンズカバーにより覆われる一方で、前記撮影レンズが露出状態のときに露出する部分に配設されてなるコイルとを備えた撮影装置の制御方法であって、
前記コイルの発熱の有無を検出し、
該熱検出手段が前記コイルの発熱を検出した場合、前記電源部をオフとし、
それ以外の場合前記電源部をオンとすることを特徴とするものである。
【００２０】
なお、本発明による撮影装置の制御方法をコンピュータに実行させるためのプログラムとして提供してもよい。
【発明の効果】
【００２１】
本発明によれば、撮影レンズが非露出状態となるとコイルも非露出状態となり、撮影レンズが露出状態となるとコイルも露出状態となる。レンズカバーは金属製であるため、コイルが露出状態にあるときにコイルを励磁してもコイルは発熱しないが、コイルが非露出状態にあるときにコイルを励磁すると、コイルが発熱する。このため、コイルの発熱を検出し、コイルの発熱を検出した場合には、レンズカバーが閉じて撮影レンズが非露出状態にあることから、電源部がオフとされ、コイルの発熱が検出されない場合には、レンズカバーが開いて撮影レンズが露出状態にあることから、電源部はオンとされる。
【００２２】
このように本発明によれば、レンズカバーに電源部をオン／オフするための機械的な機構を設けなくても、レンズカバーの開閉により電源部のオン／オフを行うことができる。このため、電源部をオン／オフするための機構が不要となり、その結果、実装部品数を低減することによる装置の低コスト化を実現することができる。また、レンズカバーに電源部をオン／オフさせるための機構を設けなくてもよいため、レンズカバーの薄型化、ひいては撮影装置のスリム化を図ることができる。
【００２３】
また、コイルを撮影レンズの外形形状に沿って巻いて外枠に配設することにより、コイル用のスペースを新たに作り出す必要がなくなるため、装置サイズが大きくなることを防止できる。また、撮影レンズの外枠にコイルを配設しているため、撮影レンズが露出状態となってもコイルが目立たなくなり、その結果、撮影装置の外観上の品位を保つことができる。
【００２４】
また、レンズカバーの表面に断熱部材を取付けることにより、例えばコイルが露出状態から非露出状態に切り替わった直後のように、コイルひいてはレンズカバーが発熱する状態の時に、レンズカバーの熱によりユーザが火傷してしまうことを防止できる。
【００２５】
また、第１および第２の撮影レンズに対応させて、第１および第２のレンズカバー、並びに給電用および充電用の第１および第２のコイルを備えることにより、第１および第２のレンズカバーの開閉の状態を異ならせれば、充電する機能および給電する機能を切り替えて実行させることができる。
【００２６】
また、非接触充電および非接触給電のいずれかを検出し、非接触充電および非接触給電のいずれかを検出した場合、充電電池への充電および充電電池の電力の外部への供給の少なくともいずれかを制御し、電源部における非接触充電および非接触給電に関係する機能以外の機能をオフとすることにより、非接触充電および非接触給電のいずれかが行われている最中に、無駄な電力を消費することを防止できる。
【００２７】
この場合、他の機能がオフとされると、非接触充電および非接触給電のいずれかが行われていることを通知することにより、ユーザに対して撮影装置が非接触充電および非接触給電のいずれかを行っていることを知らせることができる。
【００２８】
また、撮影レンズが露出状態の時に、受給電制御手段のオン／オフを切り替え可能とすることにより、他の機能をオフとすれば、非接触充電および非接触給電のいずれかが行われている最中に、他の機能がオンとされて無駄な電力を消費することを防止できる。
【００２９】
この場合、切り替え操作手段と撮影装置の操作手段とを兼用させることにより、装置の実装部品数を低減することができる。
【発明を実施するための最良の形態】
【００３０】
以下、図面を参照して本発明の実施形態について説明する。図１は本発明の実施形態による撮影装置を適用したデジタルカメラの内部構成を示すブロック図である。
【００３１】
図１に示すように、第１の実施形態によるデジタルカメラ１は、撮影に関する各種処理を行うための撮影部２、操作部３、内部メモリ４、ＬＣＤ５、メディア制御部６および画像処理部７を備える。
【００３２】
撮影部２は、不図示のレンズ、絞り、シャッタ、ＣＣＤ、アナログフロントエンド、Ａ／Ｄ変換部およびデジタル信号処理部を備え、撮影により取得した画像信号をデジタルの画像データに変換して出力する。
【００３３】
操作部３は、レンズカバー、レリーズボタンおよび十字キーを含む各種操作ボタンからなり、デジタルカメラ１に対して各種入力を行うためのものである。
【００３４】
内部メモリ４は、デジタルカメラ１において設定される各種定数、およびＣＰＵ２８が実行するプログラム等を記憶する。
【００３５】
ＬＣＤ５は、ＬＣＤドライバ８により駆動され、撮影により取得した画像等の各種表示を行う。
【００３６】
メディア制御部６は、記録メディア９にアクセスして画像ファイルの書き込みと読み込みの制御を行う。
【００３７】
画像処理部８は、撮影部２が取得したデジタルの画像データに対して、階調補正、ホワイトバランス調整、画像圧縮または画像伸張等のデジタル信号処理を行う。
【００３８】
なお、デジタルカメラ１における撮影に関する動作は既知であるため、ここでは詳細な説明は省略する。
【００３９】
また、デジタルカメラ１は電源部１０を備える。電源部１０は、デジタルカメラ１の電源となる充電可能なバッテリ１１を備える。なお、バッテリ１１としては、例えば、リチウムイオン電池、ニッケル水素電池、およびニッカド電池等が挙げられる。
【００４０】
また、デジタルカメラ１は、充電コイル２０および充電部２１を有し、非接触充電によってバッテリ１１を充電する。すなわち、充電コイル２０には、不図示の給電装置の給電コイルから発生する電磁波により誘導起電力が発生し、この誘導起電力が充電部２１によって整流されて、バッテリ１１に出力される。バッテリ１１は、充電部２１から加えられる充電電流によって充電される。なお、ＣＰＵ２８はバッテリ１１の充電状況を監視しており、バッテリ１１が満充電されると充電を停止させる制御等を行う。なお、充電部２１はＣＰＵ２８からの指示により、充電コイル２０を励磁する機能をも有する。
【００４１】
また、デジタルカメラ１は、金属の存在による充電コイル２０の熱を検出するための熱検出部２５を備える。熱検出部２５は充電コイル２０と接続された熱電対により充電コイル２０の温度を測定し、測定した温度がしきい値Ｔｈ１以上となると熱検出した旨を表す熱検出信号をＣＰＵ２８に出力する。
【００４２】
また、デジタルカメラ１は、不図示の給電装置との間で無線により通信を行うための無線通信部２６を備える。ここで、デジタルカメラ１は、給電装置１と無線による通信を行い、非接触充電の可否の判断を行う。すなわち、給電装置と通信を行って充電可能の指示を給電装置から受信した場合に非接触充電を行う。
【００４３】
ＣＰＵ２８は、プログラムに従い、デジタルカメラ１の全体の制御を行う。なお、デジタルカメラ１を構成する各部は、バス２９により接続されている。
【００４４】
図２は本発明によるデジタルカメラの他の例の内部構成を示すブロック図である。なお、第２の実施形態によるデジタルカメラ１′は、図１に示す第１の実施形態によるデジタルカメラ１に対して、３次元表示を行うための２つの画像を取得できる機能とともに、非接触給電機能を追加したものである。図２に示すように第２の実施形態によるデジタルカメラ１′は、２つの撮影部２Ａ，２Ｂを備える。２つの撮影部２Ａ，２Ｂはあらかじめ定められた基線長および輻輳角を有するようにデジタルカメラ１′に取付けられる。
【００４５】
また、デジタルカメラ１′は、給電コイル２２および給電部２３をさらに備えており、非接触給電および非接触充電の双方を行うことが可能である。非接触給電では、デジタルカメラ１′のバッテリ１１の電力を、外部装置（例えば他のデジタルカメラ）に非接触で給電する。給電部２３は、電源部１０から入力される直流電流を電源として数１０ＫＨｚ〜数１００ＫＨｚの周波数で給電コイル２２を励磁し、給電コイル２２から非接触給電用の電磁波を発生させる。
【００４６】
なお、同一のコイルを充電コイルおよび給電コイルとして切り替え可能に実装することも可能である。
【００４７】
また、図１に示すデジタルカメラ１において、充電コイル２０および充電部２１に代えて、給電コイル２２および給電部２３を設け、非接触給電機能のみを有するものとしてもよい。
【００４８】
以下、図１または図２に示すデジタルカメラについての各種の実施形態を説明する。図３Ａおよび図３Ｂは本発明の第１の実施形態によるデジタルカメラの外観正面図である。図３Ａおよび図３Ｂに示すように第１の実施形態によるデジタルカメラ１Ａは、図１に示すデジタルカメラ１を適用したものであり、撮影部２の撮影レンズ３０の露出状態および非露出状態を切り替える、金属製のレンズカバー３１が本体３２の前面にスライド可能に取付けられている。なお、図３Ａはレンズカバー３１が開いて撮影レンズ３０が露出した状態を、図３Ｂはレンズカバー３１が閉じて撮影レンズ３０が非露出となった状態を示している。
【００４９】
撮影レンズ３０は、外枠３３を介して本体３２に取付けられている。外枠３３は合成樹脂材料により形成され、充電コイル２０が撮影レンズ３０の外形形状に沿って円形状に巻かれて配設されている。なお、本体３２には、図１に示した各種部品が収納されている。
【００５０】
次いで、第１の実施形態において行われる処理について説明する。図４は第１の実施形態において行われる処理を示すフローチャートである。なお、初期状態においてはレンズカバー３１が閉じてデジタルカメラ１Ａの電源がオフの状態にあるものとする。レンズカバー３１が閉じた状態において、ＣＰＵ２８は所定時間間隔で充電コイル２０を励磁しており、励磁により熱検出されたか否か、すなわち熱検出部２５から熱検出信号が入力されたか否かを判定する（ステップＳＴ１）。
【００５１】
ここで、レンズカバー３１は金属であるため、レンズカバー３１が閉じた状態において充電コイル２０が励磁されると充電コイル２０に熱が発生して、熱検出部２５が熱検出信号をＣＰＵ２８に出力する。このため、ステップＳＴ１が肯定されると、レンズカバー３１は閉じた状態にあることから、ステップＳＴ１に戻る。
【００５２】
一方、レンズカバー３１が開いて撮影レンズ３０が露出状態になると、外枠３３に配設された充電コイル２０も露出状態となるため、熱が発生しなくなる。このため、ステップＳＴ１が否定されると、レンズカバー３１が開いて撮影レンズ３０が露出状態となることから、ＣＰＵ２８は電源部１０に対して電源をオンとする指示を行い、これにより電源部１０がデジタルカメラ１Ａの電源をオンとする（ステップＳＴ２）。なお、電源をオンするとは、電源部１０におけるデジタルカメラ１Ａの撮影に関係する機能をオンとすることを意味する。またこれらの機能に加えて非接触充電または非接触給電に関係する機能をオンとするようにしてもよい。これにより、デジタルカメラ１Ａは撮影可能な状態となる（ステップＳＴ３）。なお、撮影可能な状態とは、ＬＣＤ５にスルー画像が表示され、操作部３のレリーズボタンが押下されると撮影を行って画像データを記録メディア９に記録可能な状態を言う。
【００５３】
ステップＳＴ３に続いて、ＣＰＵ２８は引き続き所定時間間隔で充電コイル２０を励磁し、励磁により熱検出部２５から熱検出信号が入力されたか否かを判定する（ステップＳＴ４）。ステップＳＴ４が肯定されると、レンズカバー３１が閉じられて撮影レンズ３０が非露出状態となったことから、ＣＰＵ２８は電源部１０に対して電源をオフとする指示を行い、これにより電源部１０がデジタルカメラ１Ａの電源をオフとし（ステップＳＴ５）、ステップＳＴ１に戻る。なお、ステップＳＴ４が否定されると、レンズカバー３１は引き続き開いていることから、ステップＳＴ４に戻る。
【００５４】
このように第１の実施形態によれば、レンズカバー３１にデジタルカメラ１Ａの電源をオン／オフするための機械的な機構を設けなくても、レンズカバー３１の開閉により電源のオン／オフを行うことができる。このため、電源をオン／オフするための機構が不要となり、その結果、実装部品数を低減することによるデジタルカメラの低コスト化を実現することができる。また、レンズカバー３１に電源をオン／オフするための機構を設けなくてもよいため、レンズカバー３１の薄型化、ひいてはデジタルカメラのスリム化を図ることができる。
【００５５】
また、充電コイル２０を撮影レンズ３０の外形形状に沿って円形状に巻いて外枠３３に配設しているため、コイル用のスペースを新たに作り出す必要がなくなり、その結果、デジタルカメラ１Ａのサイズが大きくなることを防止できる。また、撮影レンズ３０の外枠３３に充電コイル２０を配設しているため、撮影レンズ３０が露出状態となっても充電コイル２０が目立たなくなり、その結果、デジタルカメラ１Ａの外観上の品位を保つことができる。
【００５６】
次いで、本発明の第２の実施形態について説明する。図５Ａおよび図５Ｂは本発明の第２の実施形態によるデジタルカメラの外観正面図である。図５Ａおよび図５Ｂに示すように第２の実施形態によるデジタルカメラ１Ｂは、図２に示す複眼のデジタルカメラ１′を適用したものであり、撮影部２Ａ，２Ｂの撮影レンズ３０Ａ，３０Ｂの露出状態および非露出状態を切り替える、金属製のレンズカバー３１が本体３２の前面にスライド可能に取付けられている。なお、図５Ａはレンズカバー３１が開いて撮影レンズ３０Ａ，３０Ｂが露出した状態を、図５Ｂはレンズカバー３１が閉じて撮影レンズ３０Ａ，３０Ｂが非露出となった状態を示している。
【００５７】
撮影レンズ３０Ａ，３０Ｂは、外枠３３Ａ，３３Ｂを介して本体３２に取付けられている。外枠３３Ａには、充電コイル２０が撮影レンズ３０Ａの外形形状に沿って円形状に巻かれて配設されている。外枠３３Ｂには、給電コイル２２が撮影レンズ３０Ｂの外形形状に沿って円形状に巻かれて配設されている。外枠３３Ａ，３３Ｂは、合成樹脂材料により形成されている。本体３２には、図２に示した各種部品が収納されている。
【００５８】
このように第２の実施形態による複眼のデジタルカメラ１Ｂに対しても、充電コイル２０および給電コイル２２の少なくとも一方を励磁して熱検出を行うことにより、第１の実施形態と同様に、レンズカバー３１の開閉により電源のオン／オフを切り替えることができる。
【００５９】
次いで、本発明の第３の実施形態について説明する。図６Ａおよび図６Ｂは本発明の第３の実施形態によるデジタルカメラの外観正面図である。図６Ａおよび図６Ｂに示すように第３の実施形態によるデジタルカメラ１Ｃは、図５に示す複眼のデジタルカメラ１Ｂにおいて、撮影レンズ３０Ａ，３０Ｂのそれぞれに対してレンズカバー３１Ａ，３１Ｂを設けたものである。なお、図６Ａはレンズカバー３１Ａ，３１Ｂの双方が開いて撮影レンズ３０Ａ，３０Ｂが露出した状態を、図６Ｂはレンズカバー３１Ａ，３１Ｂの双方が閉じて撮影レンズ３０Ａ，３０Ｂが非露出となった状態を示している。
【００６０】
このように第３の実施形態による複眼のデジタルカメラ１Ｃに対しても、第１の実施形態と同様に、レンズカバー３１Ａ，３１Ｂの開閉により電源のオン／オフを切り替えることができる。なお、第３の実施形態においては、充電コイル２０および給電コイル２２の双方を励磁して熱検出を行うことにより、レンズカバー３１Ａ，３１Ｂの双方の開閉に連動させて電源のオン／オフを切り替えてもよく、充電コイル２０および給電コイル２２のいずれか一方を励磁して熱検出を行うことにより、レンズカバー３１Ａ，３１Ｂのいずれか一方の開閉に連動させて電源のオン／オフを切り替えるようにしてもよい。
【００６１】
次いで、本発明の第４の実施形態について説明する。図７は本発明の第４の実施形態によるデジタルカメラの外観正面図、図８はレンズカバーの部分断面図である。図７に示すように第４の実施形態によるデジタルカメラ１Ｄは、図５に示す複眼のデジタルカメラ１Ｂにおいて、レンズカバー３１の表面に断熱シート３５を取付けたものである。なお、断熱シートはデジタルカメラ１Ｄの外観を損ねないように、デジタルカメラ１Ｄの本体３２と同一色または透明であることが好ましい。なお、図７においては断熱シート３５を斜線にて示している。
【００６２】
このように、レンズカバー３１の表面に断熱シート３５を取付けることにより、レンズカバー３１を閉じて充電コイル２０および給電コイル２２が露出状態から非露出状態に切り替わった直後のように、コイル２０，２２ひいてはレンズカバー３１が発熱する状態の時に、レンズカバー３１の熱によりユーザが火傷してしまうことを防止できる。
【００６３】
なお、断熱シート３５は、図３に示す第１の実施形態によるデジタルカメラ１Ａのレンズカバー３１、および図６に示す第３の実施形態によるデジタルカメラ１Ｃのレンズカバー３１Ａ，３１Ｂの表面にも取付けることが可能である。
【００６４】
次いで、本発明の第５の実施形態について説明する。なお、本発明の第５の実施形態は、上記第１の実施形態によるデジタルカメラ１Ａを用いた処理に特徴を有するため、ここではデジタルカメラ１Ａにおいて行われる処理についてのみ説明する。
【００６５】
図９は第５の実施形態において行われる処理を示すフローチャートである。なお、初期状態においてはレンズカバー３１が閉じて電源がオフの状態にあるものとする。レンズカバー３１が閉じた状態において、ＣＰＵ２８は所定時間間隔で充電コイル２０を励磁しており、励磁により熱検出されたか否か、すなわち熱検出部２５から熱検出信号が入力されたか否かを判定する（ステップＳＴ１１）。ステップＳＴ１１が肯定されると、レンズカバー３１が閉じた状態にあることから、ステップＳＴ１１に戻る。ステップＳＴ１１が否定されると、レンズカバー３１が開いて撮影レンズ３０が露出状態となるため、ＣＰＵ２８は電源部１０に対して電源をオンとする指示を行い、これにより電源部１０がデジタルカメラ１Ａの電源をオンとする（ステップＳＴ１２）。これにより、デジタルカメラ１Ａは撮影可能な状態となる（ステップＳＴ１３）。
【００６６】
次いでＣＰＵ２８は、所定時間内に非接触充電の可否を判断する（ステップＳＴ１４）。ここで、非接触充電が可能な状態としては、例えば図１０に示すように、非接触給電が可能な他のデジタルカメラ１Ｅを用意し、デジタルカメラ１Ａの撮影レンズとデジタルカメラ１Ｅの撮影レンズとが互いに向き合うようにデジタルカメラ１Ａ，１Ｅを設置し、デジタルカメラ１Ａ，１Ｅ間の無線通信により、デジタルカメラ１Ａが充電可能の指示をデジタルカメラ１Ｅから受信した状態が挙げられる。また、非接触充電が不可能な状態としては、デジタルカメラ１Ａの撮影レンズの前に金属が設置されて充電コイル２０の温度が上昇した場合、およびデジタルカメラ１Ａ，１Ｅの撮影レンズの位置が整合していなかったり、撮影レンズが離れすぎたりして、十分な誘導起電力が得られない場合等が挙げられる。
【００６７】
ステップＳＴ１４が否定されると、ＣＰＵ２８は充電拒否の指示を電源部１０に行い（ステップＳＴ１５）、引き続き所定時間間隔で充電コイル２０を励磁し、励磁により熱検出部２５から熱検出信号が入力されたか否かを判定する（ステップＳＴ１６）。ステップＳＴ１６が肯定されると、レンズカバー３１が閉じられて撮影レンズ３０が非露出状態となったことから、ＣＰＵ２８は電源部１０に対して電源をオフとする指示を行い、これにより電源部１０がデジタルカメラ１Ａの電源をオフとし（ステップＳＴ１７）、ステップＳＴ１１に戻る。なお、ステップＳＴ１６が否定されると、レンズカバー３１は引き続き開いていることから、ステップＳＴ１４に戻る。
【００６８】
一方、ステップＳＴ１４が肯定されると、ＣＰＵ２８はデジタルカメラ１Ａにおける充電に関係する機能以外の機能（他の機能とする）をオフとする（ステップＳＴ１８）。充電に関係する機能以外の機能としては撮影に関係する機能、および再生に関係する機能等が挙げられる。さらにＣＰＵ２８は、ＬＣＤ５に充電中である旨の通知を表示する（ステップＳＴ１９）。図１１はＬＣＤ５に表示された通知の例を示す図である。図１１に示すようにＬＣＤ５には、「充電中です」の文字が表示される。そして、ＣＰＵ２８は非接触充電を開始する（ステップＳＴ２０）。
【００６９】
なお、デジタルカメラ１Ｅにおいても同様の処理を行い、給電が可能と判断された場合に、デジタルカメラ１Ｅにおける充電に関係する機能以外の機能を停止し、給電中である旨の通知を表示する。
【００７０】
ＣＰＵ２８は充電が完了したか否かの監視を開始し（ステップＳＴ２１）、ステップＳＴ２１が肯定されると、充電完了の通知をＬＣＤ５に表示し（ステップＳＴ２２）、処理を終了する。なお、デジタルカメラ１ＥのＬＣＤ５にも同様に充電が完了したことの通知を表示する。
【００７１】
このように、第５の実施形態においては、非接触充電を検出し、非接触充電を検出した場合、バッテリ１１への充電を行い、非接触充電に関係する機能以外の他の機能をオフとすることにより、非接触充電が行われている最中に無駄な電力を消費することを防止できる。また、他の機能をオフとするスイッチ等の操作手段が不要となるため、デジタルカメラ１Ａの実装部品数を低減することができる。
【００７２】
また、非接触充電が行われていることを通知することにより、ユーザに対してデジタルカメラ１Ａが非接触充電を行っていることを知らせることができる。
【００７３】
なお、上記第５の実施形態においては、ＬＣＤ５に文字を表示することにより、充電中および充電完了の通知を表示しているが、デジタルカメラ１ＡにＬＥＤ等の発光部を設け、発光部の点灯または点滅の有無により充電中および充電完了を通知してもよい。また、音声による通知部をデジタルカメラ１Ａに設け、充電中および充電完了を音声により通知してもよい。さらに、ＬＣＤへの表示、ＬＥＤおよび音声のうちの少なくとも２つを組み合わせて通知を行うようにしてもよい。
【００７４】
次いで、本発明の第６の実施形態について説明する。なお、本発明の第６の実施形態は、上記第１の実施形態によるデジタルカメラ１Ａにおいて、操作部３により、レンズカバー３１を開いたときにおけるデジタルカメラ１Ａの駆動の状態を切り替えるようにしたものである、具体的には、デジタルカメラ１Ａを用いて撮影等を行う第１のモード、およびデジタルカメラ１Ａの充電を行う第２のモードに操作部３を用いて切り替えるようにしたものである。なお、操作部３を構成する各種操作ボタンにおいて、第１および第２のモードを切り替えるボタンと他の機能を実行させるボタンとを共通化させることが好ましい。
【００７５】
図１２は第６の実施形態において行われる処理を示すフローチャートである。なお、初期状態においてはレンズカバー３１が閉じて電源がオフの状態にあるものとする。レンズカバー３１が閉じた状態において、ＣＰＵ２８は所定時間間隔で充電コイル２０を励磁しており、励磁により熱検出されたか否か、すなわち熱検出部２５から熱検出信号が入力されたか否かを判定する（ステップＳＴ３１）。ステップＳＴ３１が肯定されると、レンズカバー３１が閉じた状態にあることから、ステップＳＴ３１に戻る。ステップＳＴ３１が否定されると、レンズカバー３１が開いて撮影レンズ３０が露出状態となるため、ＣＰＵ２８は電源部１０に対して電源をオンとする指示を行い、これにより電源部１０がデジタルカメラ１Ａの電源をオンとする（ステップＳＴ３２）。これにより、デジタルカメラ１Ａは撮影可能な状態となる（ステップＳＴ３３）。
【００７６】
次いでＣＰＵ２８は、操作部３の操作によりデジタルカメラ１Ａのモードが第１および第２のモードのいずれのモードに切り替えられているかを判定する（ステップＳＴ３４）。第１のモード、すなわち撮影を行うモードに切り替えられている場合、ＣＰＵ２８は、所定時間間隔で充電コイル２０を励磁し、励磁により熱検出部２５から熱検出信号が入力されたか否かを判定する（ステップＳＴ３５）。ステップＳＴ３５が肯定されると、レンズカバー３１が閉じられて撮影レンズ３０が非露出状態となったことから、ＣＰＵ２８は電源部１０に対して電源をオフとする指示を行い、これにより電源部１０がデジタルカメラ１Ａの電源をオフとし（ステップＳＴ３６）、ステップＳＴ３１に戻る。なお、ステップＳＴ３５が否定されると、レンズカバー３１は引き続き開いていることから、ステップＳＴ３４に戻る。
【００７７】
一方、第２のモード、すなわち充電を行うモードに切り替えられている場合、第５の実施形態における図９に示すフローチャートのステップＳＴ１４以降と同様の処理を行う。この場合、電源がオフとされるとステップＳＴ３１の処理に戻る。
【００７８】
このように、第６の実施形態においては、撮影レンズ３０が露出状態の時に、デジタルカメラ１Ａのモードを第１および第２のモードのいずれかに切り替え可能としたため、第２のモードに切り替えれば、非接触充電が行われている最中に、充電に関係する機能以外の他の機能がオンとされて無駄な電力を消費することを防止できる。
【００７９】
また、第１および第２のモードを切り替える操作ボタンと、デジタルカメラ１Ａにおける他の機能を実行する操作ボタンとを兼用させることにより、デジタルカメラ１Ａの実装部品数を低減することができる。
【００８０】
なお、上記第６の実施形態において、充電コイル２０および充電部２１に代えて、給電コイル２２および給電部２３を設けた場合には、デジタルカメラ１Ａを給電装置として使用するモードに操作部３を用いて切り替えるようにしてもよい。
【００８１】
次いで、本発明の第７の実施形態について説明する。なお、本発明の第７の実施形態は、上記第２の実施形態によるデジタルカメラ１Ｃを用いた処理に特徴を有するため、ここではデジタルカメラ１Ｃにおいて行われる処理についてのみ説明する。
【００８２】
図１３は第７の実施形態において行われる処理を示すフローチャートである。なお、初期状態においてはレンズカバー３１Ａ，３１Ｂの双方が閉じて電源がオフの状態にあるものとする。レンズカバー３１Ａ，３１Ｂが閉じた状態において、ＣＰＵ２８は所定時間間隔で充電コイル２０および給電コイル２２を励磁しており、まず励磁により充電コイル２０において熱検出されたか否か、すなわち熱検出部２５から充電コイル２０からの熱検出信号が入力されたか否かを判定する（ステップＳＴ４１）。ステップＳＴ４１が肯定された場合も否定された場合も、励磁により給電コイル２２において熱検出されたか否か、すなわち熱検出部２５から給電コイル２２からの熱検出信号が入力されたか否かを判定する（ステップＳＴ４２，ＳＴ４３）
ステップＳＴ４２が肯定されると、レンズカバー３１Ａ，３１Ｂの双方が閉じた状態にあることからステップＳＴ４１に戻る。ステップＳＴ４２が否定されると、レンズカバー３１Ａが閉じ、レンズカバー３１Ｂが開いた状態にあることから第１の処理を行う（ステップＳＴ４４）。
【００８３】
一方、ステップＳＴ４３が肯定されると、レンズカバー３１Ａが開き、レンズカバー３１Ｂが閉じた状態にあることから第２の処理を行う（ステップＳＴ４５）。ステップＳＴ４３が否定されると、レンズカバー３１Ａ，３１Ｂの双方が開いた状態にあることから第３の処理を行う（ステップＳＴ４６）。
【００８４】
次いで、第１の処理について説明する。図１４は第１の処理のフローチャートである。第１の処理においては、レンズカバー３１Ａが閉じ、レンズカバー３１Ｂが開いた状態にあるため、ユーザはデジタルカメラ１Ｃを給電装置として使用するものである。このため、ＣＰＵ２８は、所定時間内に非接触給電の可否を判断する（ステップＳＴ５１）。ここで、非接触給電が可能な状態としては、例えば、デジタルカメラ１Ｃの撮影レンズ３０Ｂと非接触充電が可能なデジタルカメラ１Ａの撮影レンズとが互いに向き合うようにデジタルカメラ１Ｃ，１Ａを設置し、デジタルカメラ１Ｃ，１Ａ間の無線通信により、デジタルカメラ１Ｃが給電可能の指示をデジタルカメラ１Ａから受信した状態が挙げられる。また、非接触給電が不可能な状態としては、デジタルカメラ１Ｃの撮影レンズ３０Ｂの前に金属が設置されて給電コイル２２の温度が上昇した場合、およびデジタルカメラ１Ｃ，１Ａの撮影レンズの位置が整合していなかったり、撮影レンズが離れすぎたりして、デジタルカメラ１Ａにおいて十分な誘導起電力が得られず、その旨の指示をデジタルカメラ１Ａから受信した場合等が挙げられる。
【００８５】
ステップＳＴ５１が否定されると、ＣＰＵ２８は給電拒否の指示を電源部１０に行い（ステップＳＴ５２）、引き続き所定時間間隔で給電コイル２２を励磁し、励磁により熱検出部２５から熱検出信号が入力されたか否かを判定する（ステップＳＴ５３）。ステップＳＴ５３が肯定されると、レンズカバー３１Ｂが閉じられて撮影レンズ３０Ｂが非露出状態となったことから、ＣＰＵ２８は電源部１０に対して電源をオフとする指示を行い、これにより電源部１０がデジタルカメラ１Ｃの電源をオフとし（ステップＳＴ５４）、ステップＳＴ４１に戻る。なお、ステップＳＴ５３が否定されると、レンズカバー３１Ｂは引き続き開いていることから、ステップＳＴ５１に戻る。
【００８６】
一方、ステップＳＴ５１が肯定されると、ＣＰＵ２８は給電に関係する機能以外の機能をオフとする（ステップＳＴ５５）。給電に関係する機能以外の機能としては撮影に関係する機能、再生に関係する機能等が挙げられる。さらにＣＰＵ２８は、ＬＣＤ５に、給電中である旨の通知を表示する（ステップＳＴ５６）。そして、ＣＰＵ２８は非接触給電を開始する（ステップＳＴ５７）。
【００８７】
ＣＰＵ２８は充電が完了したか否かの監視を開始し（ステップＳＴ５８）、ステップＳＴ５８が肯定されると、充電完了の通知をＬＣＤ５に表示し（ステップＳＴ５９）、処理を終了する。
【００８８】
次いで、第２の処理について説明する。図１５は第２の処理のフローチャートである。第２の処理においては、レンズカバー３１Ａは開き、レンズカバー３１Ｂが閉じた状態にあるため、ユーザはデジタルカメラ１Ｃを充電するものである。このため、ＣＰＵ２８は所定時間内に非接触充電の可否を判断する（ステップＳＴ６１）。ここで、非接触充電が可能な状態としては、デジタルカメラ１Ｃの撮影レンズ３０Ａと非接触給電が可能なデジタルカメラ１Ｅの撮影レンズとが互いに向き合うようにデジタルカメラ１Ｃ，１Ｅを設置し、デジタルカメラ１Ｃ，１Ｅ間の無線通信により、デジタルカメラ１Ｃが充電可能の指示をデジタルカメラ１Ｅから受信した状態が挙げられる。また、非接触充電が不可能な状態としては、デジタルカメラ１Ｃの撮影レンズの前に金属が設置されて充電コイル２０の温度が上昇した場合、およびデジタルカメラ１Ｃ，１Ｅの撮影レンズの位置が整合していなかったり、撮影レンズが離れすぎたりして、十分な誘導起電力が得られない場合等が挙げられる。
【００８９】
ステップＳＴ６１が否定されると、ＣＰＵ２８は充電拒否の指示を電源部１０に行い（ステップＳＴ６２）、引き続き所定時間間隔で充電コイル２０を励磁し、励磁により熱検出部２５から熱検出信号が入力されたか否かを判定する（ステップＳＴ６３）。ステップＳＴ６３が肯定されると、レンズカバー３１Ａが閉じられて撮影レンズ３０Ａが非露出状態となったことから、ＣＰＵ２８は電源部１０に対して電源をオフとする指示を行い、これにより電源部１０がデジタルカメラ１Ｃの電源をオフとし（ステップＳＴ６４）、ステップＳＴ４１に戻る。なお、ステップＳＴ６３が否定されると、レンズカバー３１は引き続き開いていることから、ステップＳＴ６１に戻る。
【００９０】
一方、ステップＳＴ６１が肯定されると、ＣＰＵ２８は充電に関係する機能以外の機能をオフとする（ステップＳＴ６５）。さらにＣＰＵ２８は、ＬＣＤ５に、充電中である旨の通知を表示する（ステップＳＴ６６）。そして、ＣＰＵ２８は非接触充電を開始する（ステップＳＴ６７）。
【００９１】
ＣＰＵ２８は充電が完了したか否かの監視を開始し（ステップＳＴ６８）、ステップＳＴ６８が肯定されると、充電完了の通知をＬＣＤ５に表示し（ステップＳＴ６９）、処理を終了する。なお、デジタルカメラ１ＣのＬＣＤ５にも同様に充電が完了したことの通知を表示する。
【００９２】
次いで、第３の処理について説明する。図１６は第３の処理のフローチャートである。第３の処理においては、レンズカバー３１Ａ，３１Ｂがともに開いた状態にあるため、ユーザはデジタルカメラ１Ｃを充電したいのか給電装置として使用したいのかが分からない。このためＣＰＵ２８は、まず所定時間内に非接触充電の可否を判断する（ステップＳＴ７１）。ステップＳＴ７１が否定されると非接触給電の可否を判断する（ステップＳＴ７２）。ステップＳＴ７１が肯定されると、デジタルカメラ１Ｃを充電すべく第２の処理におけるステップＳＴ６５の処理に進む。ステップＳＴ７２が肯定されると、デジタルカメラ１Ｃを給電装置として使用すべく、第１の処理におけるステップＳＴ５５の処理に進む。
【００９３】
ステップＳＴ７２が否定されると、ＣＰＵ２８は給電および充電拒否の指示を電源部１０に行い（ステップＳＴ７３）、引き続き所定時間間隔で充電コイル２０および給電コイル２２の双方を励磁し、励磁により熱検出部２５から熱検出信号が入力されたか否かを判定する（ステップＳＴ７４）。ステップＳＴ７４が肯定されると、レンズカバー３１Ａ，３１Ｂの双方が閉じられて撮影レンズ３０Ａ，３０Ｂが非露出状態となったことから、ＣＰＵ２８は電源部１０に対して電源をオフとする指示を行い、これにより電源部１０がデジタルカメラ１Ｃの電源をオフとし（ステップＳＴ７５）、ステップＳＴ４１に戻る。なお、ステップＳＴ７４が否定されるとステップＳＴ７１に戻る。
【００９４】
なお、上記第７の実施形態においては、第５の実施形態と同様に、非接触充電および非接触給電の可否を判断して、非接触充電および非接触給電以外の機能をオフとしているが、第６の実施形態と同様に、操作部３を用いて、デジタルカメラ１Ｃを充電するモードおよびデジタルカメラ１Ｃを給電装置として機能させるモードに切り替えるようにしてもよい。
【００９５】
また、上記第７の実施形態においては、図６に示す第３の実施形態によるデジタルカメラ１Ｃを用いているが、図５に示す第２の実施形態によるデジタルカメラ１Ｂを用いることも可能である。この場合、撮影レンズ３０Ａ，３０Ｂは同時に露出状態および非露出状態となるため、図１３〜図１６に示すフローチャートにおける第１の処理および第４の処理のみが行われることとなる。
【００９６】
また、上記第１から第７の実施形態においては、所定時間間隔により充電コイル２０または給電コイル２２を励磁することにより熱検出を行っているが、給電を行う場合よりも少ない電流により受電コイル２０または給電コイル２２を常時励磁することにより熱検出を行うようにしてもよい。
【００９７】
また、上記第１から第７の実施形態においては、撮影レンズの外枠に受電コイルまたは給電コイルを配設しているが、これらのコイルを配設する場所は外枠に限定されるものではなく、撮影レンズが非露出状態のときにレンズカバーにより覆われる一方で、撮影レンズが露出状態のときに露出する部分であれば、任意の場所に配設するようにしてもよい。
【００９８】
以上、本発明の実施形態に係るデジタルカメラについて説明したが、コンピュータに図４，９，１２〜１６に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００９９】
【図１】本発明の実施形態による撮影装置を適用したデジタルカメラの内部構成を示すブロック図
【図２】本発明によるデジタルカメラの他の例の内部構成を示すブロック図
【図３Ａ】本発明の第１の実施形態によるデジタルカメラの外観正面図（レンズカバー開）
【図３Ｂ】本発明の第１の実施形態によるデジタルカメラの外観正面図（レンズカバー閉）
【図４】第１の実施形態において行われる処理を示すフローチャート
【図５Ａ】本発明の第２の実施形態によるデジタルカメラの外観正面図（レンズカバー開）
【図５Ｂ】本発明の第２の実施形態によるデジタルカメラの外観正面図（レンズカバー閉）
【図６Ａ】本発明の第３の実施形態によるデジタルカメラの外観正面図（レンズカバー開）
【図６Ｂ】本発明の第３の実施形態によるデジタルカメラの外観正面図（レンズカバー閉）
【図７】本発明の第４の実施形態によるデジタルカメラの外観正面図
【図８】レンズカバーの部分断面図
【図９】第５の実施形態において行われる処理を示すフローチャート
【図１０】充電時におけるデジタルカメラの設置を説明するための図
【図１１】ＬＣＤ５に表示された通知の例を示す図
【図１２】第６の実施形態において行われる処理を示すフローチャート
【図１３】第７の実施形態において行われる処理を示すフローチャート
【図１４】第７の実施形態における第１の処理のフローチャート
【図１５】第７の実施形態における第２の処理のフローチャート
【図１６】第７の実施形態における第３の処理のフローチャート
【符号の説明】
【０１００】
１，１′，１Ａ〜１Ｃ  デジタルカメラ
２，２Ａ，２Ｂ  撮影部
３    操作部
５    ＬＣＤ
１０    電源部
１１    バッテリ
２０    充電コイル
２１    充電部
２２    給電コイル
２３    給電部
２５    熱検出部
２６    無線通信部
３０，３０Ａ，３０Ｂ  撮影レンズ
３１，３１Ａ，３１Ｂ  レンズカバー
３３，３３Ａ，３３Ｂ  外枠
【図１】
2010128219.tif 000003
【図２】
2010128219.tif 000004
【図３Ａ】
2010128219.tif 000005
【図３Ｂ】
2010128219.tif 000006
【図４】
2010128219.tif 000007
【図５Ａ】
2010128219.tif 000008
【図５Ｂ】
2010128219.tif 000009
【図６Ａ】
2010128219.tif 000010
【図６Ｂ】
2010128219.tif 000011
【図７】
2010128219.tif 000012
【図８】
2010128219.tif 000013
【図９】
2010128219.tif 000014
【図１０】
2010128219.tif 000015
【図１１】
2010128219.tif 000016
【図１２】
2010128219.tif 000017
【図１３】
2010128219.tif 000018
【図１４】
2010128219.tif 000019
【図１５】
2010128219.tif 000020
【図１６】
2010128219.tif 000021